【手続補正書】
【提出日】平成15年7月15日(2003.7.15)
【手続補正１】
【補正対象書類名】明細書
【補正対象項目名】全文
【補正方法】変更
【補正の内容】
【発明の名称】  全面口腔ブラシ
【特許請求の範囲】
【請求項１】  使用者の口腔を清掃するための全面口腔ブラシであって、
ａ）対向する第１面及び第２面を有する第１端を含むハンドルと、
ｂ）前記第１面から延在する剛毛と、
ｃ）前記第２面に結合される代替清掃具と、
を具備し、前記剛毛が前記使用者の歯を磨くために用いられ、前記代替清掃具が舌及び前記口腔の内側をこすり洗うことによって該使用者の該舌及び該口腔の内側を清掃するために用いられ、
ｄ）前記代替清掃具が、前記使用者の前記舌及び前記口腔の内側をこすって滑らかにするために、前記第１端の前記剛毛によって覆われていないすべての面から延在する複数の並行な隆起を含む全面口腔ブラシ。
【請求項２】  使用者の口腔を清掃するための全面口腔ブラシであって、
a)第１面及び第２面を有する第１端を含むハンドルと、
b)前記第１面から延在する剛毛と、
c)前記第２面に結合される代替清掃具と、
を具備し、前記剛毛が前記使用者の歯を磨き、前記代替清掃具が舌及び前記口腔の内側をこすり洗うことによって該使用者の該舌及び該口腔の内側を清掃し、
ｄ）前記代替清掃具が、前記使用者の前記舌及び前記口腔の内側をこすって滑らかにするために、前記第１端の前記剛毛によって覆われていないすべての面から延在する複数の頭部スペード形剛毛を含む全面口腔ブラシ。
【請求項３】  使用者の口腔を清掃するための全面口腔ブラシであって、
ａ）第１面及び第２面を有する第１端を含むハンドルと、
ｂ）前記第１面から延在する剛毛と、
ｃ）前記第２面に結合される代替清掃具と、
を具備し、前記剛毛が前記使用者の歯を磨き、前記代替清掃具が舌及び前記口腔の内側をこすり洗うことによって該使用者の該舌及び該口腔の内側を清掃し、
ｄ）  前記代替清掃具が、前記使用者の前記舌及び前記口腔の内側をこすって滑らかにするために、前記第１端の前記剛毛によって覆われていないすべての面から延在する複数のオフセット横列の剛毛状構造を含む全面口腔ブラシ。
【請求項４】  使用されない時に前記ハンドルの前記第１端を収容する再密封可能パケットを更に備えた請求項１記載の全面口腔ブラシ。
【請求項５】    前記再密封可能パケット内に配置され、前記剛毛及び代替清掃具が該再密封可能パケット内に配置された時に、該剛毛及び代替清掃具をフレッシュにするためのフレッシュニング液を更に備えた請求項４記載の全面口腔ブラシ。
【請求項６】  使用者の口腔を清掃するための全面口腔ブラシであって、
ａ）  第１面及び第２面を有する第１端を含むハンドルと、
ｂ）  該第１面から延在する剛毛と、
ｃ）  該第２面に結合される代替清掃具であって、該剛毛が該使用者の歯を磨き、該代替清掃具が舌及び該口腔の内側をこすり洗うことによって該使用者の該舌及び該口腔の内側を清掃する代替清掃具と、
ｄ）  各々がそれぞれの代替清掃面を含む複数のテンプレートと、
を備え、
前記複数のテンプレートのうちの１つが、前記代替清掃具の全体に亙る前記第２面に連結されてなる全面口腔ブラシ。
【請求項７】  前記複数のテンプレートの各々の前記清掃面は、複数の平行な隆起、複数の縦列の房状剛毛、複数の頭部スペード形剛毛、アメリカンタワシ状面、及び複数のオフセット横列の剛毛状構造のうちの１つである請求項６記載の全面口腔ブラシ。
【請求項８】  前記複数のテンプレートの各々から少なくとも１つのクリップが延在し、前記連結具は、該複数のテンプレートのそれぞれ１つの該少なくとも１つのクリップを収容するための、前記ハンドルの前記第１端内に延在する少なくとも１つの凹部を含む請求項７記載の全面口腔ブラシ。
【請求項９】  使用されない時に前記ハンドルの前記第１端を収容する再密封可能パケットを更に備えた請求項６記載の全面口腔ブラシ。
【請求項１０】  前記再密封可能パケット内に配置され、前記剛毛及び代替清掃具が該再密封可能パケット内に配置された時に、該剛毛及び代替清掃具をフレッシュにするためのフレッシュニング液を更に備えた請求項９記載の全面口腔ブラシ。
【請求項１１】  複数の小袋を更に備え、各々の小袋は、前記テンプレートが第２端に固定されない時に当該複数のテンプレートのそれぞれ１つを収容する請求項６記載の全面口腔ブラシ。
【請求項１２】  前記再密封可能パケット内に配置され、前記剛毛及び代替清掃具が該再密封可能パケット内に配置された時に、該剛毛及び代替清掃具をフレッシュにするためのフレッシュニング液を更に備えた請求項１１記載の全面口腔ブラシ。
【請求項１３】  複数の小袋を更に備え、各々の小袋は、前記テンプレートが第２端に固定されない時に当該複数のテンプレートのそれぞれ１つを収容する請求項９記載の全面口腔ブラシ。
【請求項１４】  前記再密封可能パケット内に配置され、前記剛毛及び代替清掃具が該再密封可能パケット内に配置された時に、該剛毛及び代替清掃具をフレッシュにするためのフレッシュニング液を更に備えた請求項１３記載の全面口腔ブラシ。
【請求項１５】  使用者の口腔を清掃する口腔ブラシであって、
ａ）第１面及び第２面を有し、第１端を含むハンドルと、
ｂ）該第１面から延在する剛毛と、
ｃ）該第２面上の代替清掃具と、
を具備し、
前記剛毛が該使用者の歯を磨くために配置され、該代替清掃具が該使用者の舌、歯茎及び該口腔の内面の清掃及びマッサージを行うために配置され、該代替清掃具が少なくとも１つの隆起を具備し、該少なくとも１つの隆起が該ハンドルの該第１面と該第２面との間の部分内に延在する、口腔ブラシ。
【請求項１６】  該少なくとも１つの隆起が複数の並行な隆起の１つである、請求項１５に記載の口腔ブラシ。
【請求項１７】  使用者の口腔を清掃する口腔ブラシであって、
ａ）第１面及び第２面を有し、第１端を含むハンドルと、
ｂ）該第１面から延在する剛毛と、
ｃ）該第２面上の代替清掃具と、
を具備し、
前記剛毛が該使用者の歯を磨くために配置され、該代替清掃具が該使用者の舌、歯茎及び該口腔の内面の清掃及びマッサージを行うために配置され、該代替清掃具が該ハンドルの該第１面と該第２面との間の部分上に延在するアメリカンタワシ状面を具備する、口腔ブラシ。
【請求項１８】  使用者の口腔を清掃する全面口腔ブラシであって、
ａ）第１面及び第２面を有する第１端を含むハンドルと、
ｂ）該第１面から延在する剛毛と、
ｃ）該第２面の所望の部分に結合され、前記剛毛が該使用者の歯を磨くために用いられ、使用者の舌、歯茎及び口腔の内面のこすり洗い、清掃及びマッサージを行うために用いられる代替清掃具と、
ｄ）前記代替清掃具が該少なくとも1つの隆起と、少なくとも１縦列の房状剛毛と、少なくとも１つの頭部スペード形剛毛、アメリカンタワシ面と、少なくとも１横列の剛毛構造と、を含む、
全面口腔ブラシ。
【請求項１９】  前記少なくとも１横列の剛毛構造が、複数の横列の剛毛状構造を備え、当該複数の横列が互いにオフセットしている、請求項１８に記載の全面口腔ブラシ。
【請求項２０】  前記少なくとも1つの隆起が複数の並行な隆起のうちの１つである、請求項１８に記載の全面口腔ブラシ。
【請求項２１】  前記代替清掃具がテンプレートであり、前記ハンドルが、当該テンプレートを当該ハンドルに取外し可能に連結させる連結具を含む、請求項１８に記載の全面口腔ブラシ。
【請求項２２】  口腔ケア用具であって、
ａ）第１面及び第２面を有する第１端を含むハンドルと、
ｂ）前記第１面から延在する剛毛と、
ｃ）前記第２面に取外し可能に連結する機械的な連結部を有するテンプレートと、
を具備し、
前記テンプレートが前記ハンドルの縦軸に垂直な方向に動くことにより、該テンプレートが該ハンドルの該第２面に結合し、前記剛毛が前記使用者の歯を清掃するために配置され、前記代替清掃具が該使用者の舌及び口腔の内面を清掃するために配置されている、口腔ケア用具。
【請求項２３】  使用者の口腔を清掃するための口腔ブラシであって、
ａ）第１面及び第２面を有する第１端を含むハンドルと、
ｂ）前記第１面から延在する剛毛と、
ｃ）前記第２面上の代替清掃具と、
を具備し、
前記剛毛が前記使用者の歯を磨くために配置され、前記代替清掃具が該使用者の舌及び該口腔の内面を清掃するように配置され、前記代替清掃具が、該ハンドルの縦軸に垂直な複数の並行な隆起と、該ハンドルの該第1面と該第２面との間の部分内に延在する該隆起と、該ハンドルの該第１面と該第２面との間の部分上に延在する複数の縦列の房状剛毛と、該ハンドルの該第１面と該第２面との間の部分上に延在するアメリカンタワシ状面と、からなる群から選択される、口腔ブラシ。
【発明の詳細な説明】
【０００１】
技術分野
本発明は、概して歯ブラシに関し、特に、一方の側に従来の剛毛を有し反対側に代替（alternate）清掃具が配置され、複数の交換可能な剛毛タイプ又は剛構造がその代替清掃具上に連結されるよう適応される口腔ブラシに関する。
【０００２】
背景技術
本発明は、使用者の口腔を清掃するための全面口腔ブラシからなる。本全面口腔ブラシは、第１面及び第２面を有する第１端を含むハンドルと、第１面から延在する剛毛と、第２面に結合された代替清掃具と、を含み、剛毛は使用者の歯を磨き、代替清掃具は使用者の舌及び口腔の内側を清掃する。代替清掃具は、舌及び口腔の内側をこすって滑らかにする（scrape）ための、１つ又は複数の平行な隆起、複数の縦列の房状剛毛、複数の頭部スペード形剛毛、アメリカンタワシ（scouring pad）状面、又は可溶性結晶から作成された複数のオフセット（off set：食い違い）横列の剛毛状構造の形状であってもよい。各々がそれぞれの代替清掃面を含む複数のテンプレートと、複数のテンプレートのうちの１つを上記代替清掃具の全体に亙る第２面に連結する連結具と、が、全面口腔ブラシに取付けられてもよい。各テンプレートに対し、使用されない時にテンプレート及びハンドルを汚染から保護するためにハンドルの第１端を収容する再密封可能なパケットが提供される。テンプレート及びハンドルを更に保護し使用者の口腔を更にフレッシュにする（freshen）ために、その小袋内に口腔フレッシュニング（freshening）液が設けられている。
【０００３】
好適な実施態様の詳細な説明
ここで図面を記述的に参照すると、そこではいくつかの図を通して同じ参照文字が同じ要素を示しており、図１乃至図１２は、概して数字１０で示される本発明の全面口腔ブラシを示す。
【０００４】
図１には、使用者が握持するための第１端１４と使用者の口腔に挿入する第２端１６とを有するハンドル１２を含む、全面口腔ブラシが示されている。第２端１６の第１面１８からは、使用者の歯をブラッシングする際に使用される剛毛２０が延在している。剛毛２０は、従来からの歯ブラシに見られる剛毛と同様である。第２端１６の剛毛２０と反対側の第２面２２には、使用者の歯及び口腔の内側をこすって滑らかにし、こすり洗い（scrub）、ブラッシングし及び／又はマッサージするために使用される清掃具２４がある。清掃具２４は、第２端１６の剛毛２０に覆われていない面に亙って延在することにより、使用者の舌を清掃するよう全面に形成される。図１に示す清掃具２４は、一続きの平行な隆起２６である。
【０００５】
図１の清掃具２４の代りに、代替清掃具が第２面２２から延在するように配置されてもよい。かかる代替清掃具の例は、図２乃至図５に示されている。第１代替清掃具３０は図２に示されており、ハンドル１２の第２面２２に結合された複数の縦列の房状剛毛３２を有する剛毛面によって形成される。複数の縦列の房状剛毛３２は、従来の歯ブラシの剛毛２０の反対側に面しており、使用者の舌及び口腔の内側をこすり洗うために有用である。複数の房状剛毛３２は、清掃具２４と同様に、第２端１６の剛毛２０によって覆われていない面の全体に延在することにより、使用者の舌及び口腔の内側を清掃する全面を形成する。図３は、複数のオフセット横列の頭部スペード形剛毛３６から形成される剛毛面を有する第２代替清掃具３４を示す。頭部スペード形剛毛３６は、使用者の舌及び口腔内の他の皮膚面をこすって滑らかにするように作用する。頭部スペード形剛毛３６は、清掃具２４及び房状剛毛３２と同様に、第２端１６の剛毛２０によって覆われていない面の全体から延在することにより、使用者の舌及び口腔の内側を清掃するための全面を形成する。第３代替清掃面は図４に示されており、ハンドル１２の第２面に結合されたアメリカンタワシ状面３８から形成される。アメリカンタワシ状面３８は、従来の歯ブラシの剛毛２０と反対側の方向に向いており、使用者の舌及び口腔の内側をこすり洗うために有用である。アメリカンタワシ状面３８は、図１乃至図３の清掃具２４、房状剛毛３２及び頭部スペード形剛毛３６と同様に、第２端１６の剛毛２０によって覆われていない面の全体から延在することにより、使用者の舌及び口腔の内側を清掃する全面を形成する。図５は、可溶性結晶から形成される複数の横列の剛毛状構造４２有する剛毛面から形成される第４代替清掃面４０を示す。複数の横列の剛毛状構造４２は、使用者の舌及び口腔内の他の皮膚面をフレッシュにしリフレッシュさせるよう作用する。複数の横列の剛毛状構造４２は、図１乃至図４の清掃具２４、房状剛毛３２及びアメリカンタワシ状面３８と同様に、第２端１６の剛毛２０によって覆われていない面の全体から延在することにより、使用者の舌及び口腔の内側を清掃する全面を形成する。
【０００６】
清掃具２４を含み、その清掃面２４上に第１テンプレート４４が取付けられた、全面口腔ブラシ１０が図６に示されている。第１テンプレート４４の上面４８に沿って、複数の平行な隆起４６が延在している。第１テンプレート４４の下面は、清掃具２４をその内側に収容するためのプールを形成する。ハンドル１２の第２端の、剛毛１２と第２面２２上の清掃具との間には、連結具２８が配置されている。連結具２８は、好ましくは、第１テンプレート４４のクリップ５０を収容する、ハンドル１２の第２端１６内に延在する複数の凹部から形成される。第１テンプレート４４の面からは、連結具２８と取外し可能に連結するための複数のクリップ５０が延在している。番号５２でラベル付けされた矢印は、第１テンプレート４４に力が加えられる方向と、連結具２８を形成する凹部のクリップ５０との位置合せと、を示す。
【０００７】
清掃具２４を含み、その清掃具２４上に第２テンプレート５４が取付けられた、全面口腔ブラシ１０が、図７に示されている。第２テンプレート５４の上面に沿って、複数の縦列の房状剛毛５６が延在している。第２テンプレート５４の下面は、清掃具２４をその内部に収容するプールを形成する。第２テンプレート４４の面からは、連結具２８と取外し可能に連結するための複数のクリップ５６が延在している。連結具２８は、好ましくは、第２テンプレート５４のクリップ５０を収容する、ハンドル１２の第２端１６内に延在する複数の凹部から形成される。番号５８でラベル付けされた矢印は、第２テンプレート５４に力が加えられる方向と、連結具２８を形成する凹部のクリップ５６との位置合せと、を示す。
【０００８】
清掃具２４を含み、その清掃面２４上に第３テンプレート６１が取付けられた、全面口腔ブラシ１０が、図８に示されている。第３テンプレート６１の上面に沿って、複数の横列のオフセット頭部スペード形剛毛６２が延在している。第３テンプレート６１の下面は、清掃具２４をその内部に収容する穴を形成する。第３テンプレート６１の面からは、連結具と取外し可能に連結するための複数のクリップ６６が延在している。連結具は、好ましくは、第３テンプレート６１のクリップ６６を収容する、ハンドル１２の第２端１６内に延在する複数の凹部２８から形成される。番号６８でラベル付けされた矢印は、第３テンプレート６１に力が加えられる方向と、連結具２８を形成する凹部２８のクリップ６６との位置合せと、を示す。
【０００９】
清掃具２４を含み、その清掃具２４上に第４テンプレート７０が取付けられた、全面口腔ブラシ１０が、図９に示されている。第４テンプレート７０の上面に沿って、アメリカンタワシ状面７２が延在している。第４テンプレート７０の下面は、清掃具２４をその内部に収容するプールを形成する。第４テンプレート７０の面からは、連結具２８と取外し可能に連結するための複数のクリップ７４が延在している。連結具２８は、好ましくは、第４テンプレート７０のクリップ７４を収容する、ハンドル１２の第２端１６に延在する複数の凹部から形成される。番号７６でラベル付けされた矢印は、第４テンプレート７０に力が加えられる方向と、連結具２８を形成する凹部のクリップ５６との位置合せと、を示す。
【００１０】
清掃具２４を含み、その清掃具２４上に第５テンプレート７８が取付けられた、全面口腔ブラシ１０が、図１０に示されている。第５テンプレート７８の上面に沿って、可溶性結晶８０から作成された複数の横列の剛毛状構造が延在している。第５テンプレート７８の下面は、清掃具２４をその内部に収容するプールを形成する。第５テンプレート７８の面からは、連結具２８と取外し可能に連結するための複数のクリップ８４が延在している。連結具２８は、好ましくは、第５テンプレート７８のクリップ８４を収容する、ハンドル１２の第２端１６内に延在する複数の凹部から形成される。番号８６でラベル付けされた矢印は、第５テンプレート７８に力が加えられる方向と、連結具２８を形成する凹部のクリップ５６との位置合せと、を示す。
【００１１】
図１１は、テンプレート９０が配置される密封パケット８８を示す。テンプレート９０は、図６乃至図１０に示すテンプレートと同様であり、本発明の全面口腔ブラシと連結されるためのものである。密封パケット８８は、全面口腔ブラシを使用した後に使用者の口腔をすすぐために使用される口内清浄剤９２か又は他の同様の口腔浄化液を含んでよい。
【００１２】
図１２は、全面口腔ブラシ１０が使用されない時に配置されてもよい再密封可能パケット９４を示す。再密封可能パケット９４は、再密封可能なロッキング機構９８を含む第１端９６を含み、そこからハンドル１２の第２端１６がパケット９４内に挿入される。パケット９４は、全面口腔ブラシ１０が使用されていない時、第２端１６、剛毛２０及び代替清掃面３８を保護する。全面口腔ブラシを使用した後に使用者の口腔をすすぐために使用されてもよい口内清浄剤１００か又は他の同様の口腔浄化液が、ハンドル１２の第２端１６によってパケット９４内に注がれてもよい。
【００１３】
ここで、全面口腔ブラシ１０の動作を図面を参照して説明する。動作時、全面口腔ブラシ１０は、再密封可能パケット９４内に収納されており、そこから取出されなければならない。パケット９４は、剛毛全面に広がりかつ使用中及び使用後に使用者の口腔をフレッシュにするのを助ける、口内清浄剤１００を含んでいてもよい。テンプレートもまた、再密封可能パケット８８内に収容されており、そこから取出されなければならない。パケット８８は、テンプレートの清掃面の全面に広がりかつ使用中及び使用後に使用者の口腔をフレッシュにするのを助ける、口内清浄剤１００を含んでいてもよい。使用者は、いずれの清掃面の使用が望ましいか決定し、適当なテンプレートをそのパケット８８から取出す。
【００１４】
次に、使用者は、ハンドル１２の従来の剛毛２０と反対側の第２面２２にテンプレートを取外し可能に固定する。これは、テンプレートから延在するクリップがハンドル１２の連結具２２と係合するまで、第２面２２に向かってテンプレートに力を加えることによって行われる。これで、全面口腔ブラシ１０を使用する準備ができる。
【００１５】
使用者は、従来の歯ブラシ用の剛毛を使用して通常の方法で歯を磨く。完了すると、使用者はテンプレートによって提供される代替清掃面を使用し、前後又は左右の動きを使用して舌及び口腔の内側をその代替清掃面でこすり洗う。このこすり洗いは、使用者の舌及び口腔の内側を清掃するよう作用する。そして、使用者は、パケット８８及び９４内の口内清浄剤で口腔をすすいでよい。
【００１６】
終了すると、使用者は、連結具からクリップをはずすために連結力と反対の方向に力を加えることにより、テンプレートを取外す。そして、テンプレートはパケット８８内に配置され、パケット８８は密封される。そして、全面口腔ブラシ１０の第２端１６はそのパケット９４に挿入され、パケット９４は再密封される。そして、全面口腔ブラシ１０及びテンプレートは、後に使用されるために片付けられる。
【００１７】
全面口腔ブラシは、その一端の面から延在する従来の歯ブラシの剛毛を有するハンドルと、従来の歯ブラシの剛毛と反対側の面に複数のテンプレートのうちの１つを選択的に支持するための連結具と、を含み、複数のテンプレートは、舌及び口腔の内側をこすって滑らかにする隆起面を有するテンプレートと、舌及び口腔の内側をこすって滑らかにする房を形成する剛毛を有するテンプレートと、舌及び口腔の内側をこすって滑らかにするスペード形状の剛毛を有するテンプレートと、舌及び口腔の内側をこすり洗うアメリカンタワシ形状を有するテンプレートと、を含む。また、全面口腔ブラシは、歯を磨いている間に使用者の口腔をフレッシュにすることができる可溶性結晶物質から形成される上面を含む剛毛を含んでもよい。全面口腔ブラシは、軟膏、口内清浄剤及び過酸化水素等の消毒剤によって舌、歯茎及び口腔の内側をこすって滑らかにし、清掃し、マッサージすることができる、種々のパッドを取付けるための台として使用されることが可能である。また、全面口腔ブラシは、使用者の舌、歯茎及び口腔の内側をマッサージするための複数の非研磨パッドを含んでもよい。更に、本発明の全面口腔ブラシは、単純であり、使用が容易であり、製造のコストが経済的である。
【００１８】
図面で使用されている参照番号は、以下のように定義される。
【００１９】
１０  本発明の全面口腔ブラシ
１２  口腔ブラシのハンドル
１４  ハンドルの第１端
１６  ハンドルの第２端
１８  第２端の第１面
２０  第２端の第１面から延在する剛毛
２２  第２端の第２面
２４  第２面の第２端の清掃具
２６  清掃具を形成する複数の平行な隆起
２８  第２端の第２面にテンプレートを選択的に固定する手段
３０  第１代替清掃面
３２  複数の縦列の房状剛毛
３４  第２代替清掃面
３６  複数のオフセット横列の頭部スペード形剛毛
３８  第３代替清掃面
４０  第４代替清掃面
４２  複数の横列の剛毛状構造
４４  第１テンプレート
４６  第１テンプレートを形成する複数の平行な隆起
４８  第１テンプレートの上面
５０  第１テンプレートから延在するクリップ
５２  連結具による第１テンプレートのクリップの位置合せを示す矢印
５４  第２テンプレート
５６  複数の縦列の第２テンプレートを形成する房状剛毛
５８  第２テンプレートから延在するクリップ
６０  連結具による第２テンプレートのクリップの位置合せを示す矢印
６１  第３テンプレート
６２  オフセット横列の第３テンプレートを形成する頭部スペード形剛毛
６４  第３テンプレートの上面
６６  第３テンプレートから延在するクリップ
６８  連結具による第３テンプレートのクリップの位置合せを示す矢印
７０  第４テンプレート
７２  第４テンプレートを形成するアメリカンタワシ状面
７４  第４テンプレートから延在するクリップ
７６  連結具による第４テンプレートのクリップの位置合せを示す矢印
７８  第５テンプレート
８０  第５テンプレートを形成する、可溶性結晶から作成された複数横列の剛毛状構造
８２  第５テンプレートの上面
８４  第５テンプレートから延在するクリップ
８６  連結具による第５テンプレートのクリップの位置合せを示す矢印
８８  清掃面を保持するためのパケット
９０  テンプレート
９２  口内清浄剤
９４  再密封可能パケット
９６  再密封可能パケットの第１端
９８  再密封可能パケットの第１端のロッキング機構
１００  口内清浄剤
【図面の簡単な説明】
本発明の種々の他の目的、特徴及び付随する利点は、添付図面と共に考察される時に本発明がより理解されるに伴いより完全に認識されるであろう。なお、添付図面において、複数の図を通して同じ参照文字は同じか又は類似する部分を示している。
【図１】
植毛された面の反対側に隆起面を含む本発明の全面口腔ブラシの斜視図である。
【図２】
植毛された面の反対側から延在する房状剛毛を含む本発明の全面口腔ブラシの斜視図である。
【図３】
植毛された面の反対側から延在する頭部スペード形剛毛の交互に並ぶ横列を含む本発明の全面口腔ブラシの斜視図である。
【図４】
植毛された面の反対側のアメリカンタワシ状面を含む本発明の全面口腔ブラシの斜視図である。
【図５】
植毛された面の反対側から延在する可溶性結晶で形成された剛毛を含む本発明の全面口腔ブラシの斜視図である。
【図６】
隆起面を有するテンプレートが連結された本発明の全面口腔ブラシの斜視図である。
【図７】
房状剛毛を有するテンプレートが連結された本発明の全面口腔ブラシの斜視図である。
【図８】
頭部スペード形剛毛の交互に並ぶ横列を有するテンプレートが連結された本発明の全面口腔ブラシの斜視図である。
【図９】
アメリカンタワシ状面を有するテンプレートが連結された本発明の全面口腔ブラシの斜視図である。
【図１０】
可溶性結晶で形成された剛毛を有するテンプレートが連結された本発明の全面口腔ブラシの斜視図である。
【図１１】
保護パケットから取出されている、本発明の全面口腔ブラシに取付けるためのテンプレートの正面斜視図である。
【図１２】
保護パケット内に配置された端部を有する本発明の全面口腔ブラシの正面斜視図であり、保護パケットは口腔ブラシの剛毛に塗布するための口内清浄剤を含んでいる。